(57)【要約】【課題】レンズを駆動するための駆動力を確保しつつ、小型化することが可能なレンズ駆動装置を提供すること。【解決手段】レンズを保持し光軸方向へ移動可能な可動体を駆動するための駆動機構は、略柱状に形成され可動体の外周側に配置される駆動用磁石部と、略多角筒状に巻回され、その内周面が駆動用磁石部の外周面と所定の隙間を介して対向配置される駆動用コイル１８とを備えている。駆動用磁石部は、駆動用コイル１８との対向位置で駆動用コイル１８を通過する磁束が発生するように着磁されている。可動体は、駆動用コイル１８が固定されるコイル固定部材８を備えている。駆動用コイル１８を構成する平面部１８ａ、１８ｂのうちの１個の平面部１８ｂは、コイル固定部材８に固定される被固定部であり、コイル固定部材８には、被固定部１８ｂが固定される平面状の固定面８ａが形成され、固定面８ａと被固定部１８ｂとが略平行になっている。【選択図】図４
2010286508.tif 000002
【特許請求の範囲】
【請求項１】
レンズを保持し前記レンズの光軸方向に移動可能な可動体と、前記可動体を前記光軸方向へ駆動するための駆動機構とを備え、
前記駆動機構は、略柱状に形成され前記可動体の外周側に配置される駆動用磁石部と、略多角筒状に巻回され、その内周面が前記駆動用磁石部の外周面と所定の隙間を介して対向配置される駆動用コイルとを備え、
前記駆動用磁石部は、前記駆動用コイルとの対向位置で前記駆動用コイルを通過する磁束が発生するように着磁され、
前記可動体は、前記駆動用コイルが固定されるコイル固定部材を備え、
略多角筒状の前記駆動用コイルを構成する複数の平面部のうちの１個の平面部は、前記コイル固定部材に固定される被固定部であり、
前記コイル固定部材には、前記被固定部が固定される平面状の固定面が形成され、
前記固定面と前記被固定部とが略平行になっていることを特徴とするレンズ駆動装置。
【請求項２】
前記固定面と前記被固定部との間には、隙間が形成されていることを特徴とする請求項１記載のレンズ駆動装置。
【請求項３】
前記コイル固定部材には、前記光軸方向における前記駆動用コイルの一端面が載置される載置面が前記固定面に略直交するように形成されていることを特徴とする請求項１または２記載のレンズ駆動装置。
【請求項４】
前記レンズ駆動装置は、前記光軸方向から見たときの形状が略正方形状となるように形成され、
前記駆動用磁石部は、略三角柱状に形成されるとともに前記レンズ駆動装置の四隅に配置され、
前記駆動用コイルは、略三角筒状に巻回され、
前記コイル固定部材には、略９０°ピッチで４個の前記固定面が形成されていることを特徴とする請求項１から３のいずれかに記載のレンズ駆動装置。
【請求項５】
前記レンズ駆動装置は、前記光軸方向から見たときの形状が略長方形状となるように形成され、
前記駆動用磁石部は、略四角柱状に形成されるとともに前記光軸方向から見たときの前記レンズ駆動装置の長辺に略平行な方向における前記レンズ駆動装置の両側に配置され、
前記駆動用コイルは、略四角筒状に巻回され、
前記コイル固定部材には、前記光軸方向から見たときの前記レンズ駆動装置の短辺に略平行な２個の前記固定面が形成されていることを特徴とする請求項１から３のいずれかに記載のレンズ駆動装置。
【請求項６】
複数の前記駆動用磁石部と、磁性材料で形成され、前記光軸方向における前記駆動用磁石部の一端側に配置される磁性板とを備え、
前記磁性板は、複数の前記駆動用磁石部の一端面のそれぞれを覆う複数の覆部を備え、
複数の前記覆部が一体化されるとともに、前記磁性板には、前記コイル固定部材が挿通される挿通孔が形成され、
前記挿通孔の形状は、前記コイル固定部材の外形の相似形となっていることを特徴とする請求項１から５のいずれかに記載のレンズ駆動装置。
【請求項７】
前記駆動用磁石部は、前記光軸方向で重なるように配置される２個の駆動用磁石片を備え、前記光軸方向における２個の前記駆動用磁石片同士の対向面はいずれも、同じ磁極に着磁されていることを特徴とする請求項１から６のいずれかに記載のレンズ駆動装置。
【発明の詳細な説明】
【技術分野】
【０００１】
本発明は、携帯電話等に搭載される比較的小型のカメラで使用されるレンズ駆動装置に関する。
【背景技術】
【０００２】
従来、携帯電話等に搭載されるカメラの撮影用レンズを駆動するレンズ駆動装置として、複数のレンズを保持して光軸方向に移動する移動レンズ体と、２枚の板バネを介して移動レンズ体を移動可能に保持する固定体とを備えるレンズ駆動装置が知られている（たとえば、特許文献１参照）。この特許文献１に記載のレンズ駆動装置では、移動レンズ体を構成する円筒状のスリーブの外周に駆動用コイルが巻回されている。また、このレンズ駆動装置では、駆動用コイルの外周面に対向するように、４個の磁石が配置されている。
【先行技術文献】
【特許文献】
【０００３】
【特許文献１】特開２００８−５８６５９号公報
【発明の概要】
【発明が解決しようとする課題】
【０００４】
近年、携帯電話等に搭載されるカメラの市場では、カメラの小型化の要求が一段と高まっており、そのため、カメラに使用されるレンズ駆動装置の小型化の要求も一段と高まっている。しかしながら、レンズ駆動装置を小型化するために、駆動用コイルや磁石等の駆動機構を小型化していくと、レンズを駆動するために必要な駆動力を得ることが困難になるおそれがある。
【０００５】
そこで、本発明の課題は、レンズを駆動するための駆動力を確保しつつ、小型化することが可能なレンズ駆動装置を提供することにある。
【課題を解決するための手段】
【０００６】
上記の課題を解決するため、本発明のレンズ駆動装置は、レンズを保持しレンズの光軸方向に移動可能な可動体と、可動体を光軸方向へ駆動するための駆動機構とを備え、駆動機構は、略柱状に形成され可動体の外周側に配置される駆動用磁石部と、略多角筒状に巻回され、その内周面が駆動用磁石部の外周面と所定の隙間を介して対向配置される駆動用コイルとを備え、駆動用磁石部は、駆動用コイルとの対向位置で駆動用コイルを通過する磁束が発生するように着磁され、可動体は、駆動用コイルが固定されるコイル固定部材を備え、略多角筒状の駆動用コイルを構成する複数の平面部のうちの１個の平面部は、コイル固定部材に固定される被固定部であり、コイル固定部材には、被固定部が固定される平面状の固定面が形成され、固定面と被固定部とが略平行になっていることを特徴とする。
【０００７】
本発明のレンズ駆動装置では、略多角筒状に巻回された駆動用コイルの内周面が駆動用磁石部の外周面と所定の隙間を介して対向配置され、かつ、駆動用磁石部は、駆動用コイルとの対向位置で駆動用コイルを通過する磁束が発生するように着磁されている。そのため、駆動用磁石部の全周および駆動用コイルの全周を利用して可動体を駆動するための磁気回路を効率良く形成することができる。したがって、駆動用磁石部および駆動用コイルを小型化しても可動体を駆動するための所定の駆動力を得ることが可能になる。その結果、本発明では、レンズを駆動するための駆動力を確保しつつ、レンズ駆動装置を小型化することが可能になる。
【０００８】
また、本発明では、駆動用コイルが固定されるコイル固定部材には、駆動用コイルの複数の平面部のうちの１個の平面部である被固定部が固定される平面状の固定面が形成され、固定面と被固定部とが略平行になっている。そのため、被固定部と固定面との間に接着剤を塗布して、駆動用コイルをコイル固定部材に固定する場合には、被固定部と固定面との間に厚さの均一な接着層が形成されやすくなる。したがって、接着剤を硬化させる際に、コイル固定部材に対する駆動用コイルのゆがみや位置ずれが生じるのを抑制することが可能になり、駆動用コイルをコイル固定部材に精度良く固定することが可能になる。また、接着剤の硬化後の環境条件（温度や湿度等）の変化によって、コイル固定部材に対する駆動用コイルのゆがみや位置ずれが生じるのを抑制することが可能になる。その結果、駆動用コイルの内周面と駆動用磁石部の外周面との隙間を精度良く確保することが可能になり、また、駆動用磁石部の中心と駆動用コイルの中心とのずれを小さくすることが可能になる。したがって、駆動機構での駆動力のロスを低減することが可能になり、その結果、駆動用磁石部および駆動用コイルを小型化しても可動体を駆動するための所定の駆動力を得ることが可能になる。
【０００９】
本発明において、固定面と被固定部との間には、隙間が形成されていることが好ましい。このように構成すると、隙間を利用して、コイル固定部材に対する駆動用コイルの固定位置を調整することで、駆動用コイルの内周面と駆動用磁石部の外周面との隙間をより精度良く確保することが可能になり、また、駆動用磁石部の中心と駆動用コイルの中心とのずれをより小さくすることが可能になる。また、隙間を接着代として利用することが可能になるため、コイル固定部材に対する駆動用コイルの固定強度を高めることが可能になる。
【００１０】
本発明において、コイル固定部材には、光軸方向における駆動用コイルの一端面が載置される載置面が固定面に略直交するように形成されていることが好ましい。このように構成すると、載置面を利用して、光軸方向における駆動用コイルの位置決めを行うことが可能になる。したがって、レンズ駆動装置の組立時には、光軸方向における駆動用コイルの位置決めを行うための治具等が不要になる。また、駆動用コイルの一端面を載置面に載置すれば、光軸方向における駆動用コイルの位置が決まるため、レンズ駆動装置の組立が容易になる。
【００１１】
本発明において、レンズ駆動装置は、たとえば、光軸方向から見たときの形状が略正方形状となるように形成され、駆動用磁石部は、略三角柱状に形成されるとともにレンズ駆動装置の四隅に配置され、駆動用コイルは、略三角筒状に巻回され、コイル固定部材には、略９０°ピッチで４個の固定面が形成されている。この場合には、デッドスペースとなりやすいレンズ駆動装置の四隅に駆動用磁石部および駆動用コイルを配置することができる。したがって、光軸方向から見たときの形状が略正方形状となるように形成されるレンズ駆動装置をより小型化することが可能になる。
【００１２】
本発明において、レンズ駆動装置は、たとえば、光軸方向から見たときの形状が略長方形状となるように形成され、駆動用磁石部は、略四角柱状に形成されるとともに光軸方向から見たときのレンズ駆動装置の長辺に略平行な方向におけるレンズ駆動装置の両側に配置され、駆動用コイルは、略四角筒状に巻回され、コイル固定部材には、光軸方向から見たときのレンズ駆動装置の短辺に略平行な２個の固定面が形成されている。この場合には、光軸方向から見たときのレンズ駆動装置の短辺に略平行な方向でレンズ駆動装置をより小型化することが可能になる。
【００１３】
本発明において、レンズ駆動装置は、複数の駆動用磁石部と、磁性材料で形成され、光軸方向における駆動用磁石部の一端側に配置される磁性板とを備え、磁性板は、複数の駆動用磁石部の一端面のそれぞれを覆う複数の覆部を備え、複数の覆部が一体化されるとともに、磁性板には、コイル固定部材が挿通される挿通孔が形成され、挿通孔の形状は、コイル固定部材の外形の相似形となっていることが好ましい。このように構成すると、磁性板によって、駆動用磁石部が発生させる磁束の漏れを抑制して、効率的な磁気回路を形成することが可能になる。また、駆動用磁石部の一端面を覆う覆部が複数の駆動用磁石部ごとに別体で形成されている場合と比較して、部品点数を削減することができるとともに、磁性板を小型化しても、レンズ駆動装置の製造時等における磁性板の取り扱いが容易になる。また、駆動用磁石部の一端面を覆う覆部が複数の駆動用磁石部ごとに別体で形成されている場合には、複数の覆部の平面度を確保することが困難になるが、このように構成すると、複数の覆部の平面度を確保しやすくなる。また、このように構成すると、挿通孔の形状がコイル固定部材の外形の相似形となっているため、可動体と磁性板との間の隙間を略一定にすることが可能になる。したがって、磁性板を利用して、光軸方向に直交する方向における可動体の可動範囲を適切に規制することが可能になる。また、駆動機構で発生する塵埃の飛散を磁性板によって抑制することが可能になる。
【００１４】
本発明において、駆動用磁石部は、光軸方向で重なるように配置される２個の駆動用磁石片を備え、光軸方向における２個の駆動用磁石片同士の対向面はいずれも、同じ磁極に着磁されていることが好ましい。このように構成すると、２個の駆動用磁石片同士の対向面の間において、駆動用コイルを通過する磁束の密度を高めることができる。したがって、可動体を駆動するための磁気回路をより効率良く形成することができ、駆動用磁石部および駆動用コイルをさらに小型化することが可能になる。
【発明の効果】
【００１５】
以上のように、本発明では、レンズを駆動するための駆動力を確保しつつ、レンズ駆動装置を小型化することが可能になる。
【図面の簡単な説明】
【００１６】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図３に示すスリーブおよび駆動用コイルの拡大斜視図である。
【図５】図２に示す駆動用磁石部および駆動用コイルの配置関係を説明するための斜視図である。
【図６】図５に示す駆動用磁石部および駆動用コイルの側面図である。
【図７】図６のＨ−Ｈ方向から駆動用磁石片および駆動用コイルを示す図である。
【図８】図１のレンズ駆動装置の四隅に配置される駆動用磁石部の着磁状態を説明するための図である。
【図９】図２に示すスリーブ、第１ケース体および磁性板を反被写体側から示す底面図である。
【図１０】図２に示すスリーブおよび駆動用コイルを被写体側から示す平面図である。
【図１１】本発明の他の実施の形態にかかるレンズ駆動装置の一部の構成を説明するための分解斜視図である。
【図１２】図１１に示すスリーブ、駆動用磁石部、駆動用コイルおよび磁性板を被写体側から示す平面図である。
【発明を実施するための形態】
【００１７】
以下、本発明の実施の形態を図面に基づいて説明する。
【００１８】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。図４は、図３に示すスリーブ８および駆動用コイル１８の拡大斜視図である。図５は、図２に示す駆動用磁石部１７および駆動用コイル１８の配置関係を説明するための斜視図である。
【００１９】
本形態のレンズ駆動装置１は、携帯電話等に搭載される比較的小型のカメラで使用されるものである。すなわち、レンズ駆動装置１は、携帯電話等の携帯機器に搭載されて使用される。このレンズ駆動装置１は、図１に示すように、全体として略四角柱状に形成されている。すなわち、レンズ駆動装置１は、撮影用のレンズの光軸Ｌの方向（光軸方向）から見たときの形状が略四角形状となるように形成されている。本形態では、レンズ駆動装置１は、光軸方向から見たときの形状が略正方形状となるように形成されている。
【００２０】
本形態のレンズ駆動装置１が搭載されるカメラでは、図２の下側（すなわち、Ｚ２方向側）に図示を省略する撮像素子が配置されており、図２の上側（すなわち、Ｚ１方向側）に配置される被写体が撮影される。したがって、以下の説明では、Ｚ１方向側を被写体側（物体側）、Ｚ２方向側を反被写体側（撮像素子側）とする。また、以下の説明では、光軸Ｌに直交するとともに互いに直交する２方向をＸ方向、Ｙ方向とする。また、Ｘ方向とＹ方向とから形成される平面をＸＹ平面とする。本形態では、レンズ駆動装置１の４つの側面は、Ｘ方向またはＹ方向と平行になっている。
【００２１】
レンズ駆動装置１は、図１、図２に示すように、撮影用のレンズを保持し光軸方向に移動可能な可動体２と、可動体２を光軸方向に移動可能に保持する固定体３と、可動体２を光軸方向へ駆動するための駆動機構４とを備えている。可動体２は、２種類の板バネ５、６（図３参照）を介して固定体３に移動可能に保持されている。なお、図２では、板バネ５、６の図示を省略している。
【００２２】
可動体２は、複数のレンズが固定されたレンズホルダ７を保持するスリーブ８と、駆動機構４を構成する後述の駆動用コイル１８の端部が半田付け等で電気的に接続されて固定されるコイル端固定部材９、１０とを備えている。なお、図２では、コイル端固定部材９、１０の図示を省略し、図３では、レンズホルダ７の図示を省略している。
【００２３】
レンズホルダ７は、略円筒状に形成されており、その内周側に、光軸方向から見たときの形状が略円形状となる複数のレンズが固定されている。本形態では、レンズホルダ７の被写体側に径の小さな小径レンズが配置され、反被写体側に小径レンズよりも径の大きな大径レンズが配置されている。そのため、図２に示すように、レンズホルダ７の被写体側の外径は、反被写体側の外径よりも小さくなっている。
【００２４】
スリーブ８は、略筒状に形成されており、その内周側でレンズホルダ７を保持している。本形態では、レンズホルダ７の被写体側の外径が反被写体側の外径よりも小さくなっているため、スリーブ８の被写体側の外径が反被写体側の外径よりも小さくなっている。また、本形態では、スリーブ８の反被写体側は、光軸方向から見たときの形状が略八角形状となるように形成されている。
【００２５】
図４に示すように、スリーブ８の外周には、駆動機構４を構成する後述の駆動用コイル１８を固定するための固定面８ａと、駆動用コイル１８が載置される載置面８ｂとが形成されている。固定面８ａは、光軸Ｌに平行な平面状に形成されるとともに、光軸Ｌを中心に略９０°ピッチで４箇所に形成されている。載置面８ｂは、ＸＹ平面に平行な平面状に形成されるとともに、光軸Ｌを中心に略９０°ピッチで４箇所に形成されている。また、載置面８ｂは、固定面８ａの反被写体側端からスリーブ８の径方向外側に広がるように形成されている。本形態のスリーブ８は、駆動用コイル１８が固定されるコイル固定部材である。
【００２６】
コイル端固定部材９、１０は、導電性を有する金属材料で形成されている。このコイル端固定部材９、１０は、スリーブ８の反被写体側の端面に固定されている。
【００２７】
固定体３は、被写体側に配置される第１ケース体１１と、反被写体側に配置される第２ケース体１２とを備えている。
【００２８】
第１ケース体１１は、磁性材料で形成されるとともに、底部１１ａと筒部１１ｂとを有する底付きの略四角筒状（略有底四角筒状）に形成されている。本形態の第１ケース体１１は、たとえば、絞り加工で形成されており、底部１１ａの厚さよりも筒部１１ｂの厚さが薄くなっている。第１ケース体１１は、駆動機構４および可動体２の被写体側の外周側を囲むように配置されている。
【００２９】
被写体側に配置される底部１１ａの中心には、円形の貫通孔１１ｃが形成されている。反被写体側における筒部１１ｂの四隅には、切欠部１１ｄが形成されており、筒部１１ｂの、切欠部１１ｄの間には、反被写体側へ延びる延出部１１ｅが形成されている。切欠部１１ｄは、筒部１１ｂの反被写体側端から被写体側に向かって窪むように形成されている。筒部１１ｂを構成する４個の側面１１ｆのそれぞれには、光軸方向に略平行な延出部１１ｅの２個の端面１１ｇと、Ｘ方向またはＹ方向に平行で端面１１ｇの被写体側端から第１ケース体１１の四隅に向かう２個の端面１１ｈとが形成されている。
【００３０】
第２ケース体１２は、樹脂材料で形成されるとともに、略四角筒状に形成されている。第２ケース体１２には、図３に示すように、端子１３が固定されている。また、第２ケース体１２には、スリーブ８の反被写体側の端面が当接する当接面１２ａ（図２参照）と、携帯電話等の携帯機器にレンズ駆動装置１を取り付けるための取付凹部１２ｂ（図３参照）と、第１ケース体１１の延出部１１ｅが配置される配置凹部１２ｃ（図３参照）とが形成されている。
【００３１】
当接面１２ａは、ＸＹ平面と平行に形成されている。取付凹部１２ｂは、第２ケース体１２の四隅の外周面に形成されている。この取付凹部１２ｂは、たとえば、ＳＭＩＡ（Ｓｔａｎｄａｒｄ  Ｍｏｂｉｌｅ  Ｉｍａｇｉｎｇ  Ａｒｃｈｉｔｅｃｔｕｒｅ）規格に準拠するように形成されており、具体的には、Ｙ方向に平行な第２ケース体１２の側面からＸ方向の内側に向かって窪むように形成されている。配置凹部１２ｃは、第２ケース体１２の４個の側面からＸ方向内側またはＹ方向内側に向かって窪むように形成されている。また、配置凹部１２ｃは、Ｘ方向またはＹ方向における第２ケース体１２の側面の中央部に形成されるとともに、取付凹部１２ｂと繋がらないように形成されている。
【００３２】
第２ケース体１２は、レンズホルダ７の反被写体側の外周側等を覆うように、第１ケース体１１の反被写体側に取り付けられている。すなわち、第１ケース体１１と第２ケース体１２とは光軸方向で組み合わされている。具体的には、第１ケース体１１の延出部１１ｅが第２ケース体１２の配置凹部１２ｃに配置されるように、第１ケース体１１と第２ケース体１２とが組み合わされて固定されている。すなわち、延出部１１ｅが第２ケース体１２の外周面に外側から重なるように、第１ケース体１１と第２ケース体１２とが組み合わされて固定されている。また、第２ケース体１２の被写体側の端面１２ｄと第１ケース体１１の端面１１ｈとが当接するように、第１ケース体１１と第２ケース体１２とが組み合わされて固定されている。
【００３３】
板バネ５は、スリーブ８に固定されるスリーブ固定部と、第１ケース体１１に固定されるケース体固定部と、スリーブ固定部とケース体固定部とを繋ぐバネ部とから構成され、可動体２の被写体側に配置されている。スリーブ固定部は、スリーブ８の被写体側の端面に固定されている。ケース体固定部は、略矩形の枠状に形成されたスペーサ１４を介して第１ケース体１１の底部１１ａの反被写体側の面に固定されている。すなわち、ケース体固定部は、底部１１ａの反被写体側の面に固定されたスペーサ１４に固定されている。
【００３４】
板バネ６は、スリーブ８に固定されるスリーブ固定部と、第２ケース体１２に固定されるケース体固定部と、スリーブ固定部とケース体固定部とを繋ぐバネ部とから構成され、可動体２の反被写体側に配置されている。スリーブ固定部は、コイル端固定部材９、１０を介してスリーブ８の反被写体側の端面に固定されている。すなわち、スリーブ固定部は、コイル端固定部材９、１０に固定されている。ケース体固定部は、第２ケース体１２の被写体側に形成される固定面に固定されている。
【００３５】
駆動機構４は、図２、図５等に示すように、レンズ駆動装置１の四隅（具体的には、第１ケース体１１の内側の四隅）に配置される略三角柱状の４個の駆動用磁石部１７と、略三角筒状に巻回され、その内周側が駆動用磁石部１７の外周面と所定の隙間を介して対向配置される４個の駆動用コイル１８と、駆動用コイル１８よりも被写体側で可動体２に固定される磁性部材１９と、駆動用コイル１８の被写体側および反被写体側に取り付けられるコイル保護部材２０、２１と、駆動用磁石部１７の反被写体側に配置される磁性板２２とを備えている。以下、この駆動機構４の詳細な構成について説明する。
【００３６】
（駆動機構の構成）
図６は、図５に示す駆動用磁石部１７および駆動用コイル１８の側面図である。図７は、図６のＨ−Ｈ方向から駆動用磁石片２４および駆動用コイル１８を示す図である。図８は、図１のレンズ駆動装置１の四隅に配置される駆動用磁石部１７の着磁状態を説明するための図である。図９は、図２に示すスリーブ８、第１ケース体１１および磁性板２２を反被写体側から示す底面図である。図１０は、図２に示すスリーブ８および駆動用コイル１８を被写体側から示す平面図である。
【００３７】
上述のように、駆動用磁石部１７は、第１ケース体１１の内側の四隅に配置されている。すなわち、駆動用磁石部１７は、可動体２の外周側に配置されている。この駆動用磁石部１７は、光軸方向で重なるように配置される略三角柱状の２個の駆動用磁石片２３、２４と、駆動用磁石片２３、２４の間に配置される平板状の磁性部材２５とを備えている。駆動用磁石片２３の反被写体側の端面には、磁性部材２５の被写体側の面が固定され、駆動用磁石片２４の被写体側の端面には、磁性部材２５の反被写体側の面が固定されている。
【００３８】
駆動用磁石片２３、２４は、光軸方向から見たときの形状が略直角二等辺三角形となるように形成されており、図７、図８に示すように、光軸Ｌに略平行でかつ互いに直交する矩形状の２個の直交面部２３ａ、２４ａと、光軸Ｌに略平行でかつ２個の直交面部２３ａ、２４ａを繋ぐ矩形状の１個の斜面部２３ｂ、２４ｂとを備えている。
【００３９】
駆動用磁石片２３、２４は、第１ケース体１１の筒部１１ｂの内周面と直交面部２３ａ、２４ａとが略平行になるように配置されている。すなわち、第１ケース体１１の内側の対角位置に配置される２個の駆動用磁石片２３、２４は、斜面部２３ｂ、２４ｂが互いに対向するように配置されている。また、４個の駆動用磁石片２３は、第１ケース体１１の底部１１ａに固定されている。具体的には、４個の駆動用磁石片２３の被写体側の端面が、底部１１ａの反被写体側の面に当接した状態で、底部１１ａの反被写体側の面に接着等によって固定されている。また、４個の駆動用磁石片２３の被写体側の端面は、底部１１ａによって完全に覆われている。
【００４０】
磁性部材２５は、磁性材料で形成されている。この磁性部材２５は、光軸方向から見たときの形状が駆動用磁石片２３、２４と同様の略直角二等辺三角形状となる平板状に形成されている。
【００４１】
磁性板２２は、磁性材料で形成されるとともに、平板状に形成されている。磁性板２２の厚さは、第１ケース体１１の底部１１ａの厚さとほぼ同じになっている。この磁性板２２は、４個の駆動用磁石部１７の反被写体側の端面（具体的には、駆動用磁石片２４の端面）のそれぞれを覆う略三角形状の４個の覆部２２ａと、４個の覆部２２ａを繋ぐ４個の接続部２２ｂとから構成されている。すなわち、本形態では、４個の覆部２２ａは、接続部２２ｂによって一体化されている。
【００４２】
覆部２２ａは、光軸方向から見たときの形状が略直角二等辺三角形状となるように形成されている。具体的には、覆部２２ａは、光軸方向から見たときの形状が駆動用磁石部１７よりも外形の大きな略直角二等辺三角形状となるように形成されている。接続部２２ｂは、細長い長方形状に形成され、Ｘ方向またはＹ方向と平行になるように配置されている。この接続部２２ｂは、磁性板２２の外周端側において、レンズ駆動装置１の周方向で隣り合う覆部２２ａ同士を接続しており、磁性板２２の中心には、スリーブ８が挿通される挿通孔２２ｃが光軸方向に貫通するように形成されている。挿通孔２２ｃは、略八角形状のスリーブ８の反被写体側の外形よりも大きな略八角形状に形成されている。すなわち、図９に示すように、挿通孔２２ｃの形状は、スリーブ８の反被写体側の外形の相似形となっている。
【００４３】
磁性板２２は、４個の駆動用磁石片２４の反被写体側の端面に固定されている。具体的には、磁性板２２は、図８に示すように、覆部２２ａの斜辺部と駆動用磁石片２４の斜面部２４ｂとが略平行になるように、かつ、覆部２２ａが駆動用磁石片２４の反被写体側の端面に当接した状態で４個の駆動用磁石片２４に接着等で固定されている。また、磁性板２２は、覆部２２ａが駆動用磁石片２４の反被写体側の端面を完全に覆うように４個の駆動用磁石片２４に固定されている。また、磁性板２２の外周端は、図２に示すように、第１ケース体１１の筒部１１ｂの内周面に当接している。
【００４４】
駆動用コイル１８は、図７、図１０に示すように、光軸方向から見たときの形状が略直角二等辺三角形状となるように巻回されており、図７等に示すように、光軸Ｌに略平行でかつ互いに直交する矩形状の２個の直交面部１８ａと、光軸Ｌに略平行でかつ２個の直交面部１８ａを繋ぐ矩形状の１個の斜面部１８ｂとを備えている。
【００４５】
４個の駆動用コイル１８は、スリーブ８の外周面に固定されている。具体的には、スリーブ８の載置面８ｂに斜面部１８ｂの反被写体側の面が載置された状態で斜面部１８ｂが固定面８ａに接着で固定されている。より具体的には、図１０に示すように、斜面部１８ｂと固定面８ａとが略平行になるように斜面部１８ｂが固定面８ａに固定されている。また、斜面部１８ｂと固定面８ａとの間にわずかな隙間が形成されるように斜面部１８ｂが固定面８ａに固定されている。また、駆動用コイル１８の内周面と駆動用磁石部１７の外周面とが所定の隙間を介して略平行になるように、斜面部１８ｂが固定面８ａに固定されている。このように、本形態では、略９０°ピッチで４個の駆動用コイル１８がスリーブ８の外周面に固定されており、駆動用コイル１８は、第１ケース体１１の内側の四隅に配置されている。
【００４６】
なお、駆動用コイル１８は、第１ケース体１１の内周面との間に所定の隙間を保った状態で、第１ケース体１１の内側の四隅に配置されており、スリーブ８とともに光軸方向へ移動可能となっている。また、本形態では、２個の直交面部１８ａおよび斜面部１８ｂは、略三角筒状の駆動用コイル１８を構成する３個の平面部であり、斜面部１８ｂは、３個の平面部のうちで、コイル固定部材であるスリーブ８に固定される被固定部である。また、斜面部１８ｂと固定面８ａとの間に形成される隙間は、たとえば、８０μｍである。
【００４７】
駆動用コイル１８は、たとえば、以下のようにして、スリーブ８の固定面８ａに固定される。すなわち、まず、所定の治具に形成されるスリーブ８の位置決め用の突起がスリーブ８の内周側に挿通され、かつ、治具に形成される駆動用コイル１８の位置決め用突起が駆動用コイル１８の内周側に挿通されるように、スリーブ８および４個の駆動用コイル１８が治具にセットされる。具体的には、載置面８ｂに斜面部１８ｂの反被写体側の面が載置されるように、スリーブ８および４個の駆動用コイル１８が治具にセットされる。スリーブ８および４個の駆動用コイル１８が治具にセットされると、斜面部１８ｂと固定面８ａとが略平行になり、かつ、斜面部１８ｂと固定面８ａとの間にわずかな隙間が形成される。
【００４８】
この状態で、斜面部１８ｂと固定面８ａとの間に、紫外線硬化型等の接着剤が塗布され、スリーブ８に駆動用コイル１８が仮固定される。その後、エポキシ系等の接着剤が斜面部１８ｂと固定面８ａとの間に塗布されて、スリーブ８および４個の駆動用コイル１８が治具から取り外される。治具から取り外されたスリーブ８および４個の駆動用コイル１８は、硬化炉の中に挿入され、硬化炉の中でエポキシ系等の接着剤が硬化して、駆動用コイル１８がスリーブ８の固定面８ａに本固定される。すなわち、硬化炉の中でスリーブ８と４個の駆動用コイル１８とが本固定される。
【００４９】
なお、駆動用コイル１８がスリーブ８に固定される際には、コイル保護部材２０、２１等もスリーブ８に固定されている。そのため、実際には、コイル保護部材２１、駆動用コイル１８およびコイル保護部材２０が反被写体側からこの順番で重なるようにスリーブ８の載置面８ｂに載置される。
【００５０】
光軸方向における駆動用コイル１８の幅は、磁性部材２５の厚さ以上となっている。具体的には、光軸方向における駆動用コイル１８の幅は、磁性部材２５の厚さと、可動体２の可動距離との和以上となっている。また、本形態では、可動体２の可動範囲内において、磁性部材２５が駆動用コイル１８の内周側に常に配置されるように、駆動用磁石部１７と駆動用コイル１８とが配置されている。
【００５１】
図６、図８に示すように、駆動用磁石部１７を構成する２個の駆動用磁石片２３、２４は、光軸方向において、同じ磁極同士（Ｓ極とＳ極、あるいは、Ｎ極とＮ極）が対向するように配置されている。すなわち、駆動用磁石片２３、２４同士の対向面は、いずれも同じ磁極に着磁されている。そのため、図６、図７に示すように、駆動用磁石片２３、２４の間には、駆動用コイル１８の直交面部１８ａおよび斜面部１８ｂを通過する磁束Ｆが発生している。すなわち、駆動用磁石部１７は、駆動用コイル１８との対向位置で駆動用コイル１８を通過する磁束Ｆが発生するように着磁されている。
【００５２】
図８に示すように、駆動用磁石部１７を構成する２個の駆動用磁石片２３、２４同士の対向面に形成される磁極は、レンズ駆動装置１の周方向で隣り合う他の２個の駆動用磁石片２３、２４同士の対向面に形成される磁極と異なっている。たとえば、図８の右側および左側に配置される駆動用磁石片２３、２４同士の対向面に形成される磁極はＳ極であり、図８の上側および下側に配置される駆動用磁石片２３、２４同士の対向面に形成される磁極はＮ極である。そのため、図８に示す例では、図８の上側および下側に配置される駆動用磁石片２３、２４の間から図８の右側および左側に配置される駆動用磁石片２３、２４の間へ向かう磁束Ｆが発生している。なお、レンズ駆動装置１の周方向で隣り合う２個の駆動用磁石片２３、２４同士の対向面に形成される磁極の全てが同じ磁極であっても良い。
【００５３】
磁性部材１９は、磁性材料で形成されるとともに、略円環状に形成されている。また、磁性部材１９は、平板状に形成されている。本形態では、可動体２の可動範囲内において、光軸方向における駆動用磁石部１７の中間位置に向かって磁性部材１９が吸引されるように、駆動用磁石部１７と駆動用コイル１８とが配置されている。そのため、駆動用コイル１８に電流が供給されていないときには、磁性部材１９と駆動用磁石部１７との間に生じる吸引力によって、図２に示すように、スリーブ８の反被写体側の端面が第２ケース体１２の当接面１２ａに当接している。
【００５４】
コイル保護部材２０、２１は、ＰＥＴ（ポリエチレンテレフタレート）等の比較的硬い樹脂材料または金属材料で形成されるとともに、図３に示すように、略矩形の枠状に形成されている。また、コイル保護部材２０、２１は、平板状に形成されている。本形態では、駆動用コイル１８の被写体側の端面にコイル保護部材２０が取り付けられ、駆動用コイル１８の反被写体側の端面にコイル保護部材２１が取り付けられている。
【００５５】
（本形態の主な効果）
以上説明したように、本形態では、光軸方向から見たときの形状が略正方形状となるレンズ駆動装置１の四隅に略三角柱状の駆動用磁石部１７および略三角筒状の駆動用コイル１８が配置されている。そのため、光軸方向から見たときの形状が略円形状となるレンズを駆動するレンズ駆動装置１のデッドスペースとなるレンズ駆動装置１の四隅に駆動用磁石部１７および駆動用コイル１８を配置することができる。
【００５６】
また、本形態では、略三角筒状に巻回された駆動用コイル１８の内周面が駆動用磁石部１７の外周面と所定の隙間を介して対向配置され、かつ、駆動用磁石部１７は、駆動用コイル１８との対向位置で駆動用コイル１８を通過する磁束Ｆが発生するように着磁されている。そのため、駆動用磁石部１７の全周および駆動用コイル１８の全周を利用して可動体２を駆動するための磁気回路を効率良く形成することができる。したがって、駆動用磁石部１７および駆動用コイル１８を小型化しても可動体２を駆動するための所定の駆動力を得ることができる。すなわち、本形態では、可動体２を駆動するための駆動力を確保しつつ、駆動用磁石部１７および駆動用コイル１８を小型化することができる。
【００５７】
このように、本形態では、駆動用磁石部１７および駆動用コイル１８を小型化することができ、かつ、デッドスペースとなるレンズ駆動装置１の四隅に駆動用磁石部１７および駆動用コイル１８を配置することができる。したがって、本形態では、レンズ駆動装置１を小型化することができる。
【００５８】
本形態では、光軸方向で重なるように配置される２個の駆動用磁石片２３、２４同士の対向面はいずれも、同じ磁極に着磁されている。そのため、２個の駆動用磁石片２３、２４同士の対向面の間において、駆動用コイル１８を通過する磁束Ｆの密度を高めることができる。したがって、可動体２を駆動するための磁気回路をより効率良く形成することができ、駆動用磁石部１７および駆動用コイル１８をさらに小型化することができる。
【００５９】
本形態では、駆動用コイル１８の斜面部１８ｂとスリーブ８の固定面８ａとが略平行になるように斜面部１８ｂが固定面８ａに固定されている。そのため、本形態のように、斜面部１８ｂと固定面８ａとの間に接着剤を塗布して、駆動用コイル１８をスリーブ８に固定する場合には、斜面部１８ｂと固定面８ａとの間に厚さの均一な接着層が形成されやすくなる。したがって、接着剤を硬化させる際に、スリーブ８に対する駆動用コイル１８のゆがみや位置ずれが生じるのを抑制することが可能になる。特に本形態のように、仮固定されたスリーブ８と駆動用コイル１８とが治具から取り外されて、硬化炉の中に挿入される場合には、硬化炉でスリーブ８と４個の駆動用コイル１８とが本固定される際に、スリーブ８に対する駆動用コイル１８のゆがみや位置ずれが生じやすくなるが、本形態では、斜面部１８ｂと固定面８ａとの間に厚さの均一な接着層が形成されやすくなるため、このゆがみや位置ずれを抑制することが可能になる。したがって、本形態では、駆動用コイル１８をスリーブ８に精度良く固定することが可能になる。
【００６０】
また、斜面部１８ｂと固定面８ａとの間に厚さの均一な接着層が形成されやすくなるため、接着剤の硬化後の環境条件（温度や湿度等）の変化によって、スリーブ８に対する駆動用コイル１８のゆがみや位置ずれが生じるのを抑制することが可能になる。その結果、本形態では、駆動用コイル１８の内周面と駆動用磁石部１７の外周面との隙間を精度良く確保することが可能になり、また、駆動用磁石部１７の中心と駆動用コイル１８の中心とのずれを小さくすることが可能になる。したがって、駆動機構４での駆動力のロスを低減することが可能になり、その結果、駆動用磁石部１７および駆動用コイル１８を小型化しても可動体２を駆動するための所定の駆動力を得ることが可能になる。
【００６１】
本形態では、固定面８ａと斜面部１８ｂとの間に隙間が形成されている。そのため、この隙間を利用して、スリーブ８に対する駆動用コイル１８の固定位置を調整することも可能になる。したがって、スリーブ８に対する駆動用コイル１８の固定位置を調整することで、駆動用コイル１８の内周面と駆動用磁石部１７の外周面との隙間をより精度良く確保することが可能になり、また、駆動用磁石部１７の中心と駆動用コイル１８の中心とのずれをより小さくすることが可能になる。また、この隙間を接着代として利用することが可能になるため、スリーブ８に対する駆動用コイル１８の固定強度を高めることが可能になる。
【００６２】
本形態では、駆動用コイル１８の反被写体側の面が載置される載置面８ｂがスリーブ８に形成されている。そのため、載置面８ｂを利用して、光軸方向における駆動用コイル１８の位置決めを行うことができる。したがって、レンズ駆動装置１の組立時には、光軸方向における駆動用コイル１８の位置決めを行うための治具等が不要になる。また、駆動用コイル１８の反被写体側の面を載置面８ｂに載置すれば、光軸方向における駆動用コイル１８の位置が決まるため、レンズ駆動装置１の組立が容易になる。
【００６３】
本形態では、４個の駆動用磁石部１７の被写体側の端面は、ケース体１１の底部１１ａで覆われるとともに、底部１１ａに当接している。また、４個の駆動用磁石部１７の反被写体側の端面は、磁性板２２の覆部２２ａで覆われるとともに、覆部２２ａに当接している。そのため、駆動用磁石部１７が発生させる磁束Ｆがレンズ駆動装置１の外部へ漏れるのを抑制して、効率的な磁気回路を形成することが可能になる。
【００６４】
本形態では、４個の覆部２２ａが一体化されている。そのため、４個の覆部２２ａが別体で形成されている場合と比較して、部品点数を削減することができるとともに、磁性板２２を小型化しても、レンズ駆動装置１の製造時等における磁性板２２の取り扱いが容易になる。また、４個の覆部２２ａが別体で形成されている場合には、４個の覆部２２ａの平面度を確保することが困難になるが、本形態では、４個の覆部２２ａの平面度を確保しやすくなる。また、４個の覆部２２ａが別体で形成されている場合と比較して、撮像素子等が配置されるレンズ駆動装置１の反被写体側に駆動機構４で発生する塵埃等の異物が侵入するのを磁性板２２によって抑制することが可能になる。特に本形態では、磁性板２２の挿通孔２２ｃの形状は、スリーブ８の反被写体側の外形の相似形となっているため、磁性板２２を利用して、塵埃等の異物がレンズ駆動装置１の反被写体側に侵入するのを効果的に抑制することが可能になる。
【００６５】
本形態では、磁性板２２の挿通孔２２ｃの形状は、スリーブ８の反被写体側の外形の相似形となっている。そのため、スリーブ８と磁性板２２との間の隙間を略一定にすることが可能になる。したがって、磁性板２２を利用して、光軸方向に直交する方向における可動体２の可動範囲を適切に規制することが可能になる。
【００６６】
（他の実施の形態）
上述した形態は、本発明の好適な形態の一例ではあるが、これに限定されるものではなく本発明の要旨を変更しない範囲において種々変形実施が可能である。
【００６７】
上述した形態では、レンズ駆動装置１は、光軸方向から見たときの形状が略正方形状となるように形成されている。また、略三角柱状に形成された駆動用磁石部１７および略三角筒状に巻回された駆動用コイル１８がレンズ駆動装置１の四隅に配置されている。この他にもたとえば、レンズ駆動装置１は、光軸方向から見たときの形状が略長方形状となるように形成されても良い。
【００６８】
また、光軸方向から見たときの形状が略長方形状となるようにレンズ駆動装置１が形成される場合には、図１１、図１２に示すように、駆動用磁石部５７が、略四角柱状に形成されるとともに光軸方向から見たときのレンズ駆動装置１の長辺に略平行な方向におけるレンズ駆動装置１の両側に配置され、駆動用コイル５８が、略四角筒状に巻回されても良い。
【００６９】
この場合には、レンズホルダ７を保持するスリーブ４８に２個の駆動用コイル５８が固定される固定面４８ａが形成される。たとえば、スリーブ４８が略四角筒状に形成される場合には、光軸方向から見たときのレンズ駆動装置１の長辺に略平行な方向におけるスリーブ４８の両側面が固定面４８ａとなる。すなわち、スリーブ４８には、光軸方向から見たときのレンズ駆動装置１の短辺に略平行な２個の固定面４８ａが形成される。
【００７０】
また、この場合には、略四角筒状の駆動用コイル５８を構成する４個の平面部５８ａ〜５８ｄのうちの、レンズ駆動装置１の長辺に略平行な方向における内側に配置される１個の平面部５８ｂが固定面４８ａに固定される。すなわち、この場合には、平面部５８ｂは、コイル固定部材であるスリーブ４８に固定される被固定部である。また、この場合には、固定面４８ａと平面部５８ｂとが略平行になるように、かつ、固定面４８ａと平面部５８ｂとの間にわずかな隙間が形成されるように、平面部５８ｂが固定面４８ａに固定される。
【００７１】
なお、この場合には、磁性板６２は、たとえば、２個の駆動用磁石部５７の反被写体側の端面のそれぞれを覆うように当接する２個の覆部６２ａと、２個の覆部６２ａを繋ぐ２個の接続部６２ｂとによって構成されている。また、磁性板６２には、スリーブ４８が挿通される挿通孔６２ｃが形成され、挿通孔６２ｃの形状は、スリーブ４８の外形の相似形となっている。また、駆動用磁石部５７は、光軸方向で重なるように配置される略四角柱状の２個の駆動用磁石片６３、６４と、駆動用磁石片６３、６４の間に配置される磁性部材６５とを備えている。
【００７２】
また、レンズ駆動装置１は、光軸方向から見たときの形状が略四角形状以外の略多角形状となるように形成されても良いし、光軸方向から見たときの形状が略円形状あるいは略楕円形状となるように形成されても良い。
【００７３】
上述した形態では、駆動用磁石部１７は略三角柱状に形成されているが、駆動用磁石部１７は略三角柱状以外の略多角柱状に形成されても良いし、略円柱状や略楕円柱状に形成されても良い。また、上述した形態では、駆動用コイル１８は略三角筒状に巻回されているが、駆動用コイル１８は略三角筒状以外の略多角筒状に形成されても良い。
【００７４】
上述した形態では、駆動用コイル１８の斜面部１８ｂとスリーブ８の固定面８ａとの間にわずかな隙間が形成されるように斜面部１８ｂが固定面８ａに固定されているが、斜面部１８ｂと固定面８ａとが当接した状態で、斜面部１８ｂが固定面８ａに固定されても良い。また、上述した形態では、スリーブ８に載置面８ｂが形成されているが、スリーブ８には、載置面８ｂが形成されなくても良い。この場合には、レンズ駆動装置１の組立時に、所定の治具を用いて、光軸方向における駆動用コイル１８の位置決めが行われる。
【００７５】
上述した形態では、スリーブ８の反被写体側は略八角形状に形成され、磁性板２２の挿通孔２２ｃは、スリーブ８の反被写体側の外形の相似形となる略八角形状に形成されている。この他にもたとえば、スリーブ８の反被写体側が略円形状に形成され、挿通孔２２ｃがスリーブ８の反被写体側の外形の相似形となる略円形状に形成されても良い。また、スリーブ８の反被写体側が略八角形状以外の略多角形状または略楕円形状に形成され、挿通孔２２ｃがスリーブ８の反被写体側の外形の相似形となる略多角形状または略楕円形状に形成されても良い。また、挿通孔２２ｃの形状は、スリーブ８の反被写体側の外形の相似形でなくても良い。
【００７６】
上述した形態では、駆動用磁石片２３、２４の間に磁性部材２５が配置されているが、駆動用磁石片２３、２４同士の対向面の間に所定の隙間が形成されても良いし、駆動用磁石片２３、２４同士の対向面が当接していても良い。また、上述した形態では、駆動用磁石部１７は、２個の駆動用磁石片２３、２４と磁性部材２５とによって構成されているが、駆動用磁石部１７は、１個の駆動用磁石片のみによって構成されても良い。この場合には、この駆動用磁石片は、光軸方向の両端に形成される磁極と光軸方向の中間位置に形成される磁極とが異なるように着磁されている。すなわち、この駆動用磁石片は、駆動用コイル１８との対向位置で駆動用コイル１８を通過する磁束Ｆが発生するように着磁されている。
【００７７】
上述した形態では、レンズ駆動装置１の四隅に駆動用磁石部１７および駆動用コイル１８が配置されている。この他にもたとえば、可動体２の駆動力を得ることができるのであれば、レンズ駆動装置１の四隅の３箇所、２箇所あるいは１箇所のみに駆動用磁石部１７および駆動用コイル１８が配置されても良い。この場合には、駆動用磁石部１７および駆動用コイル１８が配置されないレンズ駆動装置１の隅部に可動体２を光軸方向へ案内するためのガイド軸が配置され、このガイド軸に係合する係合凹部がスリーブ８に形成されても良い。
【００７８】
上述した形態では、可動体２側に駆動用コイル１８が固定され、固定体３側に駆動用磁石部１７が固定されているが、可動体２側に駆動用磁石部１７が固定され、固定体３側に駆動用コイル１８が固定されても良い。
【符号の説明】
【００７９】
１  レンズ駆動装置
２  可動体
４  駆動機構
８、４８  スリーブ（コイル固定部材）
８ａ、４８ａ  固定面
８ｂ  載置面
１７、５７  駆動用磁石部
１８、５８  駆動用コイル
１８ａ  直交面部（平面部）
１８ｂ  斜面部（平面部、被固定部）
２２、６２  磁性板
２２ａ、６２ａ  覆部
２２ｃ、６２ｃ  挿通孔
２３、２４、６３、６４  駆動用磁石片
５８ａ、５８ｃ、５８ｄ  平面部
５８ｂ  平面部（被固定部）
Ｆ  磁束
Ｌ  光軸
【図１】
2010286508.tif 000003
【図２】
2010286508.tif 000004
【図３】
2010286508.tif 000005
【図４】
2010286508.tif 000006
【図５】
2010286508.tif 000007
【図６】
2010286508.tif 000008
【図７】
2010286508.tif 000009
【図８】
2010286508.tif 000010
【図９】
2010286508.tif 000011
【図１０】
2010286508.tif 000012
【図１１】
2010286508.tif 000013
【図１２】
2010286508.tif 000014